(57)【要約】【課題】  髪質の程度を客観的に示すことができる髪質見当具を提供すること。【解決手段】  癖の程度が異なる複数の頭髪見本２と、これら頭髪見本２を、その程度ごとに分類し、これらをまとめて保持する見本保持部材３と、前記各頭髪見本２に対応して前記見本保持部材３に設けられ、各頭髪見本２におけるそれぞれの頭髪見本２の癖の程度を相対的に示す複数の程度表示部４とを備えている。【選択図】      図１
0003108529.tif 000002
【実用新案登録請求の範囲】
【請求項１】
髪質の程度が異なる複数の頭髪見本と、
これら頭髪見本を、その程度ごとに分類し、これらをまとめて保持する見本保持部材と、
前記各頭髪見本に対応して前記見本保持部材に設けられ、各頭髪見本におけるそれぞれの頭髪見本の髪質程度を相対的に示す複数の程度表示部とを備えていることを特徴とする髪質見当具。
【請求項２】
前記髪質は、癖、太さ又は、色の何れか１であることを特徴とする請求項１に記載の髪質見当具。
【請求項３】
前記見本保持部材は、各頭髪見本を、その髪質の程度の順に並べて保持することを特徴とする請求項１又は２に記載の髪質見当具。
【請求項４】
前記見本保持部材は、前記各頭髪見本を一列に並べて保持するとともに、前記各程度表示部は、前記各頭髪見本の列方向と直交する方向から視認可能となるように設けられていることを特徴とする請求項１〜３の何れか１項に記載の髪質見当具。
【考案の詳細な説明】
【技術分野】
【０００１】
本考案は、髪質の程度を示す髪質見当具に関するものである。
【背景技術】
【０００２】
一般に、理髪店や美容院等においては、その店員が訪問客の頭髪の癖、太さ又は、色等（以下、髪質と称す）の程度に応じてパーマや髪質改善等の処置をとっている。
【０００３】
この種の処置を行うのに際し、店員は、訪問客との会話を通じ、訪問客自身の髪質について訪問客の認識を確認した上で、その髪質に適した処置を行うことが望まれる。
【考案の開示】
【考案が解決しようとする課題】
【０００４】
しかしながら、店員は、一般的な髪質の中で訪問客自身の髪質がどの程度のものなのかを、訪問客自身に十分に理解させることが難しく、訪問客の納得の上で適切な処置を採り難かった。
【０００５】
つまり、多種の髪質を知る店員と主に自身の髪質のみを知る訪問客との間で、髪質についての認識が異なるので、店員が会話を通じて訪問客の理解を得るようにしていた従来の方法では、多種の髪質の中で訪問客自身の髪質がどの程度のものなのかを訪問客に対して理解させることが困難だった。
【０００６】
本考案は、前記課題に鑑みてなされたものであり、髪質の程度を客観的に示すことができる髪質見当具を提供することを目的としている。
【課題を解決するための手段】
【０００７】
前記課題を解決するために本考案は、髪質の程度が異なる複数の頭髪見本と、これら頭髪見本を、その程度ごとに分類し、これらをまとめて保持する見本保持部材と、前記各頭髪見本に対応して前記見本保持部材に設けられ、各頭髪見本におけるそれぞれの頭髪見本の髪質程度を相対的に示す複数の程度表示部とを備えていることを特徴とするものである。
【０００８】
前記髪質見当具において、前記髪質は、癖、太さ又は、色の何れか１であることが好ましい。
【０００９】
前記髪質見当具において、前記見本保持部材は、各頭髪見本を、その髪質の程度の順に並べて保持することが好ましい。
【００１０】
前記髪質見当具において、前記見本保持部材は、前記各頭髪見本を一列に並べて保持するとともに、前記各程度表示部は、前記各頭髪見本の列方向と直交する方向から視認可能となるように設けられていることが好ましい。
【考案の効果】
【００１１】
本考案によれば、複数の頭髪見本が髪質の程度ごとに分類して見本保持部材に保持されているとともに、これら頭髪見本の髪質の程度を相対的に示す程度表示部が設けられているので、訪問客の髪質の程度を客観的に示すことができる。
【００１２】
つまり、本考案によれば、各頭髪見本の中で訪問客の髪質に近いものを指示することにより、訪問客に対して自身の髪質が他の頭髪見本と比較してどの程度異なるのかを視覚的に認識させることができだけでなく、当該頭髪見本に対応する程度表示部を参照して、訪問客に対して自身の髪質について各頭髪見本における相対的な程度を認識させることができる。
【００１３】
なお、前記頭髪見本は、人毛、擬似毛のいずれであってもよく、さらに髪質の程度については、人為的に差異をつけたものであってもよい。
【００１４】
前記髪質として、癖、太さ又は、色を採用すれば、これらを客観的に訪問客に示すことができる。これにより、パーマ、髪質改善又は着色等、頭髪に対する様々な処置を、その髪質に応じて訪問客の了解を得た上で適切に施すことができる。
【００１５】
前記各頭髪見本を、その髪質の程度の順に並べて見本保持部材に保持させた構成によれば、訪問客自身の髪質に相当する頭髪見本が、全体の髪質の程度においてどの段階にあるのかを訪問客に対して一目で認識させることができる。
【００１６】
前記各頭髪見本を一列に並べるとともにこの列方向と直交する方向から程度表示部を視認可能とした構成によれば、当該列方向と直交する方向から各頭髪見本及び程度表示部を一望することができ、髪質の程度について、より認識し易くすることができる。
【考案を実施するための最良の形態】
【００１７】
以下、本発明の好ましい実施形態について図面を参照して説明する。
【００１８】
図１は、本発明の第一の実施形態に係る髪質見当具の全体構成を示す正面図であり、図２は、図１の髪質見当具のII−II線断面図である。
【００１９】
各図を参照して、髪質見当具１は、理髪店や美容院等において、その店員が訪問客の頭髪の癖（髪質の一例）の程度について当該訪問客の理解を得る際に使用されるものである。
【００２０】
前記髪質見当具１によれば、癖の程度が異なる６種の頭髪見本２ａ〜２ｆ（以下、頭髪見本２と総称する場合がある）が、その癖の程度ごとに分類して見本保持部３に保持されているとともに、これら頭髪見本２の髪質の程度を相対的に示す程度表示部４ａ〜４ｆ（以下、程度表示部４と総称する場合がある）が設けられているので、癖の程度を客観的に示すことができる。
【００２１】
つまり、前記髪質見当具１によれば、各頭髪見本２の中で訪問客の癖に近いものを指示することにより、訪問客に対して自身の癖が他の頭髪見本２と比較してどの程度異なるのを視覚的に認識させることができるだけでなく、当該頭髪見本２に対応する程度表示部４を参照して、訪問客に対して自身の癖について各頭髪見本２における相対的な程度を認識させることができる。
【００２２】
このように、前記髪質見当具１を利用することにより、店員は、比較的容易に頭髪の癖の程度について訪問客に対して説明することができる。このことにより得られる利点を以下に説明する。
【００２３】
１）訪問客の頭髪にパーマをかける場合の利点
パーマをかける場合には頭髪の癖の程度に応じてパーマ液の種類を使い分けるのが一般であり、このパーマ液の種類によっては頭髪又は地肌に何らかの影響を与えるおそれのあるものもある。
【００２４】
ここで、前記髪質見当具１を利用すれば比較的容易に癖の程度について訪問客に説明することができるので、前記頭髪や地肌の影響について訪問客の理解を得ることが容易となる。
【００２５】
同様に、頭髪の癖の程度に応じて変化するパーマの所要時間についても前記髪質見当具１を利用して癖の程度を客観的に説明することができるので、訪問客の理解を容易に得ることができる。
【００２６】
２）各種処置を施す際の利点
前記髪質見当具１による店員の説明により、訪問客は、各頭髪見本２における自身の癖を相対的に認識することができるので、当該自身の癖に応じて発案された店員のアドバイスを充分に理解することができる。
【００２７】
３）訪問客とのコミュニケーションについての利点
前記髪質見当具１では、６種の頭髪見本２の中から訪問客の頭髪に近いものを指示することにより当該訪問客の癖を間接的に説明することができるので、訪問客に対して直接言葉で説明する場合と比較して、訪問客の心に傷をつけることなく説明することができる。
【００２８】
以下、前記髪質検討具１の具体的構成について、図１及び図２を参照して説明する。
【００２９】
髪質見当具１は、癖の程度が異なる６種の頭髪見本２ａ〜２ｆと、これら頭髪見本２を、その程度ごとに分類しつつまとめて保持する見本保持部材３と、前記各頭髪見本２に対応して見本保持部材３に設けられ、各頭髪見本２におけるそれぞれの頭髪見本２ａ〜２ｆの癖を相対的に示す程度表示部４とを備えている。
【００３０】
頭髪見本２ａ〜２ｆは、それぞれ多数の人毛の一方の端末を輪ゴム等の結束部材５により束ねたものである。
【００３１】
また、各頭髪見本２は、図１に示す正面視で一番左に癖の程度が最も弱いもの２ａが配置され、この頭髪見本２ａから右側のものほど癖の程度が強くなるように、２ｂ〜２ｆが配置されている。
【００３２】
具体的に、頭髪見本２は、２ａが弓なり型、２ｂがうねり型、２ｃが波うねり型、２ｄが波状毛型、２ｅが縮毛型、２ｆがちぢれ毛型とされている。
【００３３】
このように、癖の程度の順に各頭髪見本２を並べているので、訪問客自身の頭髪の癖に相当する頭髪見本２が、全体の癖の程度においてどの段階にあるのかを訪問客に対して一目で認識させることができる。
【００３４】
見本保持部材３は、図２に詳しく示すように、稜線Ｌに沿って二つ折りにされ、正面視で略長方形とされた厚紙６により形成されている。
【００３５】
前記厚紙６には、前記稜線Ｌを跨いで６個のＶ字切込７が形成され、このＶ字切込７を通して前記各頭髪見本２の一方の端末が挿入されている。
【００３６】
つまり、前記結束部材５により結束された各頭髪見本２の端末は、前記厚紙６の折り返し片６ａ、６ｂ同士の間にそれぞれ挿入され、これら折り返し片６ａ、６ｂに対して接着されている。この状態で、前記各折り返し片６ａ、６ｂも、互いに対向する面同士で接着されている。
【００３７】
各程度表示部４は、前記各頭髪見本２に対応して前記折り返し片６ａ表面に対して記載又は印刷若しくは貼着された「１〜６レベル」の文字表示から構成されている。
【００３８】
具体的に、前記程度表示部４は、前記各頭髪見本２における弓なり型２ａ、うねり型２ｂ、波うねり型２ｃ、波状毛型２ｄ、縮毛型２ｅ及び、ちぢれ毛型２ｆに対応して順に配設された「１レベル」４ａ、「２レベル」４ｂ、「３レベル」４ｃ、「４レベル」４ｄ、「５レベル」４ｅ及び、「６レベル」４ｆを備えている。
【００３９】
このように、各折り返し片６ａ、６ｂの表面上に各程度表示部４を設けるとともに前記各頭髪見本２を前記稜線Ｌに沿って一列に並べた構成によれば、前記稜線Ｌと直交する方向から（すなわち、図１の視点から）各頭髪見本２及び各程度表示部４を一望することができ、頭髪の癖の程度について、より認識し易くすることができる。
【００４０】
なお、前記実施形態では、厚紙６により見本保持部材３を形成しているが、これに限定されることはなく、例えば、図３に示すように、合成樹脂、金属又は、木材により形成されたプレート８により見本保持部材３を形成してもよい。
【００４１】
この実施形態の髪質見当具１０では、短冊状のプレート８の底面に６個の保持穴９が形成され、これら保持穴９に前記各頭髪見本２の端末がそれぞれ挿入された状態で接着されている。
【００４２】
前記プレート８のように、見本保持部材３を合成樹脂、金属又は、木材により形成すれば、当該見本保持部材３を比較的剛性の高いものにすることができる。
【００４３】
なお、前記各実施形態では、髪質の一例として頭髪の癖を挙げているが、これに限定されることはなく、髪質として頭髪の太さや色を採用することも可能である。これらを採用した場合には、例えば、頭髪の太さや色に応じた染色（カラーリング）時間を訪問客に対して説明する際に、前記髪質見当具１、１０を使用することができる。
【００４４】
また、前記各実施形態では、癖の程度の順に各頭髪見本２を並べているが、これに限定されることはなく、癖の程度の順序と各頭髪見本２の配列とが異なる場合であっても、前記各程度表示部４により各頭髪見本２の癖の程度を特定することができる。
【００４５】
さらに、前記各実施形態では、各頭髪見本２を一列に並べた構成としているが、これに限定されることはなく、例えば、前記見本保持部材３の長手方向の両縁部に沿って二列に各頭髪見本２を並べるようにしてもよい。この場合、前記見本保持部材３上には、各頭髪見本２に対応して各程度表示部４が二列設けられる。
【００４６】
また、前記各実施形態では、各頭髪見本２を稜線Ｌに沿って直線状に並べているが、各頭髪見本２は、直線状の配置に限定されることはなく、環状等の配置で並べることもできる。
【図面の簡単な説明】
【００４７】
【図１】本発明の第一の実施形態に係る髪質見当具の全体構成を示す正面図である。
【図２】図１の髪質見当具のII−II線断面図である。
【図３】本発明の第二の実施形態に係る髪質見当具の図２相当図である。
【符号の説明】
【００４８】
１    髪質見当具
２    頭髪見本
３    見本保持部材
４    程度表示部
【図１】
0003108529.tif 000003
【図２】
0003108529.tif 000004
【図３】
0003108529.tif 000005